(57)【特許請求の範囲】
【請求項１】
放射線撮影装置の状態に関する状態情報を出力する情報出力手段と、
前記状態情報に基づいて設定された取得モードで取得された画像データによりオフセット補正データを取得する補正データ取得手段と、
前記オフセット補正データを用いて、被検体を撮影して取得された画像データを補正する画像処理手段と、を備え、
前記情報出力手段は、前記状態情報に基づいて設定された取得モードと制御部により設定された取得モードとが異なる場合、前記取得モードが異なることを通知する通知情報を出力することを特徴とする放射線撮影装置。
【請求項２】
前記情報出力手段は、前記放射線撮影装置の温度に基づいて、前記放射線撮影装置の状態に関する状態情報を出力することを特徴とする請求項１に記載の放射線撮影装置。
【請求項３】
前記情報出力手段は、前記放射線撮影装置に電源を投入してからの時間に基づいて、前記放射線撮影装置の状態に関する状態情報を出力することを特徴とする請求項１に記載の放射線撮影装置。
【請求項４】
前記情報出力手段は、前記放射線撮影装置が前記オフセット補正データを取得してからの時間、前記放射線撮影装置が曝射画像を撮影してからの時間、前記放射線撮影装置が無曝射画像を撮影してからの時間の少なくとも１つに基づいて、前記放射線撮影装置の状態に関する状態情報を出力することを特徴とする請求項１に記載の放射線撮影装置。
【請求項５】
前記情報出力手段は、前記放射線撮影装置により撮影された画像における残像度に基づいて、前記放射線撮影装置の状態に関する状態情報を出力することを特徴とする請求項１に記載の放射線撮影装置。
【請求項６】
前記情報出力手段は、前記状態情報に基づいて、前記取得モードに関する取得モード情報を出力することを特徴とする請求項１乃至５の何れか１項に記載の放射線撮影装置。
【請求項７】
前記制御部により設定された取得モードは、撮影モードに基づいて設定されることを特徴とする請求項１に記載の放射線撮影装置。
【請求項８】
前記情報出力手段は、前記被写体の撮影の前に前記画像データを取得する取得モードを前記取得モード情報として出力し、前記補正データ取得手段は、前記取得モードに基づいてオフセット補正データを取得することを特徴とする請求項６に記載の放射線撮影装置。
【請求項９】
前記情報出力手段は、前記被写体の撮影の後に前記画像データを取得する取得モードを前記取得モード情報として出力し、前記補正データ取得手段は、前記取得モードに基づいてオフセット補正データを取得することを特徴とする請求項６に記載の放射線撮影装置。
【請求項１０】
前記情報出力手段は、被写体の撮影の後に取得された前記画像データにより、前記被写体の撮影と前記オフセット補正データの取得とを交互に行う取得モードを前記取得モード情報として出力し、前記補正データ取得手段は、前記取得モードに基づいてオフセット補正データを取得することを特徴とする請求項６に記載の放射線撮影装置。
【請求項１１】
放射線撮影装置の状態に関する状態情報を出力する工程と、
前記状態情報に基づいて設定された取得モードで取得された画像データによりオフセット補正データを取得する工程と、
前記オフセット補正データを用いて、被検体を撮影して取得された画像データを補正する工程と、を備え、
前記状態情報を出力する工程は、前記状態情報に基づいて設定された取得モードと制御部により設定された取得モードとが異なる場合、前記取得モードが異なることを通知する通知情報を出力することを特徴とする放射線撮影方法。
【請求項１２】
請求項１乃至１０の何れか１項に記載の放射線撮影装置と、
前記放射線撮影装置に放射線を照射する放射線発生手段と、
前記取得モードを設定する設定手段と、
前記状態情報を通知する通知手段と
を備えることを特徴とする放射線撮影システム。
【請求項１３】
コンピュータを請求項１乃至１０の何れか１項に記載の放射線撮影装置の各手段として機能させるためのプログラム。
【発明の詳細な説明】
【技術分野】
【０００１】
本発明は、放射線画像を撮影する放射線撮影装置、放射線撮影方法、放射線撮影システム、及びプログラムに関する。
【背景技術】
【０００２】
被写体を透過した放射線（Ｘ線など）を用いて放射線画像を撮影する放射線撮影装置として、放射線画像をリアルタイムに表示可能な放射線撮影装置が普及している。また、フラットパネル式の放射線撮影装置（ＦＰＤ）が提案されている。
【０００３】
ＦＰＤは、アモルファス半導体を透明導電膜及び導電膜で挟持した固体光検出器と放射線を可視光に変換するシンチレータとを積層した微小な放射線検出器を、石英ガラス基板上にマトリクス状に配列する。また、固体光検出器として、ＣＣＤやＣＭＯＳなどの光検出器を用いたものが知られている。また、放射線検出器として、シンチレータを用いずに、固体光検出器で放射線を直接検出するものが知られている。
【０００４】
ＦＰＤは、任意の蓄積時間の間に照射された放射線量を電荷量として検出する。そのため、被写体の放射線画像の撮影時に、放射線の照射とは無関係な電荷が放射線検出器中に存在した場合、この電荷がノイズとして放射線画像に重畳され、放射線画像の画質を低下させる原因となる。
【０００５】
例えば、ノイズとなる電荷として、先行して撮影された放射線画像の撮影後に、固体光検出器やシンチレータの特性に基づいて残留する残留電荷がある。また、ノイズとなる電荷として、主に温度の影響により固体光検出器に生成される電荷による暗電流がある。その他、放射線検出器固有の欠陥に起因する固定ノイズが放射線画像の画質を低下させる原因となる。
【０００６】
被写体の放射線画像の撮影時には、放射線の照射を行う画像の蓄積時間に比例して残留電荷や暗電流成分の電荷も蓄積され、放射線画像の画質が低下する。そのため、被写体の放射線画像の撮影において、撮影中に蓄積された残留電荷、暗電流電荷、及び固定ノイズなどによるオフセット成分を除去するためのオフセット補正処理が行われる。
【０００７】
一般に、オフセット補正処理は、放射線を照射しない状態で取得した画像データ（無曝射画像データ）をオフセット補正データとし、放射線画像からオフセット補正データを減算することで行われる。この場合、被写体の放射線画像の撮影と無曝射画像データ（オフセット補正データ）の取得とが交互に行われ、放射線画像からオフセット補正データを減算することで、オフセット補正処理が行われる。また、被写体の放射線画像の撮影前に取得された無曝射画像データをオフセット補正データとして、放射線画像から減算することで、オフセット補正処理が行われる。
【０００８】
被写体の放射線画像の撮影と無曝射画像データ（オフセット補正データ）の取得とが交互に行われる場合、残像を低減することができるが、フレームレートが遅くなるという問題がある。
【０００９】
被写体の放射線画像の撮影前にオフセット補正データを取得する場合、フレームレートが速くなり、動画像撮影などの高速連続撮影が可能となるが、残像を十分低減できないという問題がある。また、暗電流電荷は、放射線検出器の温度や撮影条件又はセンサの経時劣化などの影響で変化するため、被写体の放射線画像の撮影前にオフセット補正データを取得する場合、オフセット補正処理の精度を十分に得られないという問題がある。
【００１０】
また、一般的なＦＰＤの場合、放射線検出器の駆動開始直後や放射線照射直後は暗電流電荷が不安定になりやすい。また、放射線照射後に生じる残留電荷は、放射線照射の終了直後ほど急激に変化することが知られている。そのため、安定したオフセット補正処理を実行するためには、放射線検出器の駆動開始から放射線画像の撮影までの間又は先行する放射線画像の撮影から次の放射線画像の撮影までの間に、一定の時間を確保する必要がある。一方で、放射線撮影装置の操作性を向上させるために、駆動開始直後や先行する放射線画像の撮影直後の短時間に放射線画像の撮影を行うことが望まれる。
【００１１】
特許文献１及び特許文献２では、オフセット補正処理の精度を保つために、時間に対するオフセット補正データの安定性や変動量を判定して、オフセット補正データを取得する技術が提案されている。
【先行技術文献】
【特許文献】
【００１２】
【特許文献１】特開２０１２−１８３２４１号公報
【特許文献２】特許第４５５７６９７号公報
【発明の概要】
【発明が解決しようとする課題】
【００１３】
しかしながら、放射線撮影装置の電源投入直後など温度変化が激しいと、オフセット補正データの変動量が大きくなり、安定性が悪化するので、オフセット補正データを生成するために用いられる無曝射画像データの取得モードが自動的に選択されてしまう。この結果、ユーザが所望する取得モードを選択でない場合がある。
【００１４】
例えば、被写体の放射線画像と無曝射画像データとを交互に取得する取得モードが自動的に選択される。この場合、安定したオフセット補正データを取得できるが、フレームレートは低下する。したがって、緊急時において、ユーザが画質よりも高速のフレームレートを優先したいときに、放射線撮影装置は対応できない。
【００１５】
本発明は、上記課題に鑑みてなされたものであり、放射線撮影装置の状態が変化する場合においても、ユーザが所望する画質やフレームレートなどに応じた撮影を可能とし、ユーザの利便性を向上させることを目的とする。
【課題を解決するための手段】
【００１６】
本発明に係る放射線撮影装置は、放射線撮影装置の状態に関する状態情報を出力する情報出力手段と、
前記状態情報に基づいて設定された取得モードで取得された画像データによりオフセット補正データを取得する補正データ取得手段と、
前記オフセット補正データを用いて、被検体を撮影して取得された画像データを補正する画像処理手段と、を備え、
前記情報出力手段は、前記状態情報に基づいて設定された取得モードと制御部により設定された取得モードとが異なる場合、前記取得モードが異なることを通知する通知情報を出力する。
【発明の効果】
【００１７】
放射線撮影装置の状態が変化する場合においても、ユーザが所望する画質やフレームレートなどに応じた撮影を可能とし、ユーザの利便性を向上させることができる。
【図面の簡単な説明】
【００１８】
【図１】第１の実施形態に係る放射線撮影システムの一例を示す図である。
【図２】放射線撮影装置の電源投入から撮影が完了するまでの動作を示すシーケンス図である。
【図３】撮影モード情報に含まれる設定パラメータの一例を示す図である。
【図４】第１の実施形態に係る状態情報の一例を示す図である。
【図５】放射線撮影装置の状態の判断を例示する図である。
【図６】表示部に表示される警告の一例を示す図である。
【図７】第２の実施形態に係る放射線撮影システムの一例を示す図である。
【図８】第２の実施形態に係る状態情報の一例を示す図である。
【発明を実施するための形態】
【００１９】
（第１の実施形態）
図面を参照して、本発明の実施形態の一例を詳しく説明する。図１は、本実施形態に係る放射線撮影システムの一例を示す図である。図１（ａ）に示すように、放射線撮影システムは、放射線撮影装置１、放射線を放射線撮影装置１に照射する放射線発生装置２、及び放射線撮影装置１や放射線発生装置２の制御を行う制御装置３を備える。
【００２０】
放射線撮影装置１は、放射線検出部１０１、画像処理部１０２、制御部１０３、記憶部１０４、通信部１０５、監視部１０６、及び情報出力部１０８を備える。図１（ｂ）に示すように、制御部１０３は補正データ取得部１０７を備える。制御装置３は、入力部３０１、表示部３０２、及び通信部３０３を備える。
【００２１】
放射線検出部１０１は、シンチレータ、光検出器アレイ、駆動回路、信号増幅回路、及びＡ／Ｄ変換器を含み、放射線を検出可能であり、画像データを生成する。信号増幅回路はユーザが設定するゲイン設定に基づいて動作する。放射線検出部１０１は、被写体を透過した放射線の線量に応じて電荷を発生させる複数の放射線検出素子を有する。放射線検出部１０１のシンチレータは、被写体を透過したエネルギーの高い放射線により蛍光体の母体物質が励起され、再結合する際の再結合エネルギーにより可視領域の蛍光を発する。この蛍光は、ＣａＷＯ４やＣｄＷＯ４などの母体自身によるものやＣｓＩ：ＴｌやＺｎＳ：Ａｇなどの母体内に付加された発光中心物質によるものがある。
【００２２】
光検出器アレイは、駆動回路の動作により、光検出器アレイを構成する各画素で検出された蛍光量（シンチレータに入射した放射線量）に応じた電気信号を出力する。Ａ／Ｄ変換器は、光検出器アレイからの出力信号をデジタル化して画像データを出力する。
【００２３】
画像処理部１０２は、放射線検出部１０１から出力される画像データに対して、オフセット補正処理などの画像処理を施す。オフセット補正処理は、制御部１０３の制御に基づき、記憶部１０４に保存されたオフセット補正データ（無曝射画像データ）を被写体の放射線画像（被写体画像）から減算することで行われる。
【００２４】
また、画像処理部１０２は、低ノイズの放射線画像データを得るために、その他の基本的な画像処理を施してもよい。更に、画像処理部１０２は、階調補正などのユーザが要求する画像品質調整を含む画像処理を施してもよい。
【００２５】
制御部１０３は、放射線画像の撮影や通信動作など、放射線撮影装置１の各部の制御に関わる処理を行う。例えば、制御部１０３は、放射線画像を取得する指示を放射線検出部１０１の駆動回路へ出力し、取得された放射線画像を保存する指示を記憶部１０４へ出力する。また、制御部１０３は、記憶部１０４に保存されたテーブルを用いて、画像データ（無曝射画像データ）を取得するための取得モードを設定する。
【００２６】
また、制御部１０３は、通信部１０５を介して制御装置３へデータ（画像データや制御信号など）の送受信を行い、受信データに基づいて各種処理を行う。例えば、制御部１０３は、記憶部１０４に保存されているプログラムなどを読み出し、これに基づいて放射線撮影装置１の制御を行う。また、ＡＳＩＣなどによる制御信号発生回路により装置制御が行われてもよいし、プログラムと制御回路の両方により装置制御が実現されてもよい。
【００２７】
記憶部１０４は、放射線検出部１０１又は画像処理部１０２から出力される画像データ、画像処理部１０２の補正処理用の画像データ（オフセット補正データやゲイン補正データなど）、撮影モード情報、取得モード情報（取得モードを設定するためのテーブルなど）、及び内部処理の結果を示すログ情報などを記憶する。
【００２８】
また、記憶部１０４は、制御部１０３がＣＰＵなどのソフトウェアを用いるものである場合には、そのためのソフトウェアなども格納する。記憶部１０４は、具体的な実装に制約はなく、１つあるいは複数のメモリやＨＤＤ又は揮発や不揮発などの様々の組み合わせで実装可能である。
【００２９】
通信部１０５は、無線ＬＡＮ、有線ＬＡＮ、又は公衆回線用の通信モジュールを用いることにより実現され、各種データ（画像処理部１０２で画像処理された画像データやログ情報など）を外部に転送する。例えば、通信部１０５は、制御装置３と通信を行う。
【００３０】
監視部１０６は、温度センサやタイマーを含み、放射線撮影装置１の温度、放射線撮影装置１に電源を投入してからの時間、放射線撮影装置１がオフセット補正データを取得してからの時間、放射線撮影装置１が曝射画像を撮影してからの時間、及び放射線撮影装置１が無曝射画像を撮影してからの時間の少なくとも１つを監視情報として監視する。
【００３１】
ここで、曝射画像データは、放射線を照射した状態で放射線撮影装置１が取得した画像データであり、無曝射画像データは、放射線を照射しない状態で放射線撮影装置１が取得した画像データである。
【００３２】
補正データ取得部１０７は、放射線撮影装置１の状態に関する状態情報に基づいて設定された取得モードで取得された画像データ（無曝射画像データ）によりオフセット補正データを取得し、記憶部１０４に保存する。補正データ取得部１０７は、複数の画像データによりオフセット補正データを取得してもよい。例えば、補正データ取得部１０７は、複数の無曝射画像データの平均を、オフセット補正データとして取得してもよい。画像処理部１０２は、オフセット補正データを用いて、被検体を撮影して取得された画像データ（放射線画像データ）を補正する。
【００３３】
情報出力部１０８は、放射線撮影装置１の温度、放射線撮影装置１に電源を投入してからの時間、放射線撮影装置１がオフセット補正データを取得してからの時間、放射線撮影装置１が曝射画像を撮影してからの時間、放射線撮影装置１が無曝射画像を撮影してからの時間、及び放射線撮影装置１により撮影された画像における残像度の少なくとも１つに基づいて、放射線撮影装置１の状態に関する状態情報を出力する。
【００３４】
この場合、情報出力部１０８は、放射線撮影装置１の暖機状態、平衡状態、温度変動状態、所定の取得モードによる撮影可能状態、オフセット補正データの信頼時間経過状態、及び残像残存状態の少なくとも１つを状態情報として出力する。
【００３５】
また、情報出力部１０８は、放射線撮影装置１の状態に応じて（状態情報に基づいて）、取得モードに関する取得モード情報を出力する。この場合、情報出力部１０８は、状態情報に基づく取得モードと放射線撮影装置１に設定された取得モードとが異なる場合、取得モードが異なることを通知する通知情報を出力する。
【００３６】
また、情報出力部１０８は、被写体の撮影の前に画像データ（無曝射画像データ）を取得する取得モード及び被写体の撮影の後に画像データを取得する取得モードの少なくとも１つを取得モード情報として出力してもよい。また、情報出力部１０８は、被写体の撮影の後に取得された画像データにより、被写体の撮影とオフセット補正データの取得とを交互に行う取得モードを取得モード情報として出力してもよい。
【００３７】
制御装置３は、撮影画像の表示、撮影オーダーの受付、及び撮影情報の入力などを行う。制御装置３は、ユーザの各種データの入力を可能とする入力部３０１、撮影モードや取得モードなどの設定画面及び放射線画像などを表示する表示部３０２、及び放射線撮影装置１とのデータ通信を行う通信部３０３を備える。
【００３８】
入力部３０１は、ユーザからの操作を受け付けるために用いられる。入力部３０１は、具体的な実装に制約はなく、ユーザからの入力を受け付けられればよい。例えば、入力部３０１は、ユーザが操作する各種スイッチ、キーボード、及びタッチパネルなどによって実現される。
【００３９】
表示部３０２は、撮影モードや取得モードなどを設定するための設定画面や放射線撮影装置１から受信する放射線画像などを表示したり、放射線撮影装置１の状態をユーザに通知したりする。また、本実施形態では、表示部３０２が通知手段として機能し、情報出力部１０８により出力された状態情報及び通知情報をユーザに通知する。表示部３０２は、具体的な実装に制約はなく、ＬＥＤ、ＬＣＤ、及びモニターなどによって実現される。
【００４０】
通信部３０３は、放射線撮影装置１の通信部１０５と制御装置３との通信を行うために用いられ、放射線撮影装置１から出力された画像データなどの取得や放射線撮影装置１と制御装置３とのデータ通信の制御などを行う。通信部３０３は、具体的な実装に制約はなく、無線ＬＡＮ、有線ＬＡＮ、又は公衆回線用の通信モジュールなどを用いることにより実現される。
【００４１】
次に、図２を用いて放射線撮影装置１及び制御装置３の動作について詳しく説明する。図２は、放射線撮影装置１の電源投入から撮影が完了するまでの動作を示すシーケンス図である。
【００４２】
ステップＳ２１では、ユーザが放射線撮影装置１の電源をＯＮにすることにより、放射線撮影装置１に電源が投入される。ステップＳ２２では、放射線撮影装置１は、放射線撮影装置１に電源が投入されたことを制御装置３に通知する。ステップＳ２３では、放射線撮影装置１の電源投入通知を受信し、制御装置３の表示部３０２は、撮影モードの入力画面を表示する。ステップＳ２４では、ユーザは、制御装置３の入力部３０１を用いて、表示部３０２の設定画面から撮影手技に応じた撮影モードを設定する。
【００４３】
ステップＳ２５では、制御装置３が、通信部３０３を介して、設定された撮影モードに関する撮影モード情報を放射線撮影装置１に送信する。制御部１０３は、制御装置３から撮影モード情報を受信し、画像データ（無曝射画像データ）を取得するための取得モードを設定する。
【００４４】
図３は、撮影モード情報に含まれる設定パラメータの一例を示す図である。図３に示すように、撮影モード情報は、撮影モード番号、画像のサイズ、ビニング、フレームレート、出力ゲイン、及び取得モードを含む。取得モードは、画像データ（無曝射画像データ）を取得するためのモードであり、図３では「０」と「１」で表される。
【００４５】
ここで、「０」の取得モードは、被写体の撮影の直前もしくは直後に画像データ（無曝射画像データ）を取得する取得モードである。また、「０」の取得モードは、被写体の撮影とオフセット補正データの取得とを交互に行う取得モードである。この場合、画像処理部１０２は、被写体の放射線画像の撮影と画像データ（無曝射画像データ）の取得とを交互に行い、被写体の撮影後に取得された画像データ（無曝射画像データ）を被写体の放射線画像から減算することで、オフセット補正処理を行う。
【００４６】
また、「１」の取得モードは、被写体の撮影の前にあらかじめ画像データ（無曝射画像データ）を取得する取得モードである。この場合、被写体の撮影時に毎回画像データ（無曝射画像データ）を取得する必要は無い。画像処理部１０２は、被写体の撮影前にオフセット補正データとして取得された画像データ（無曝射画像データ）を被写体の放射線画像から減算することで、オフセット補正処理を行う。
【００４７】
ステップＳ２６では、制御部１０３は、設定された撮影モード情報に基づいて、放射線撮影装置１の撮影準備を行う。ステップＳ２７では、情報出力部１０８は、監視部１０６から監視情報を取得する。
【００４８】
ステップＳ２８では、設定された全ての撮影モードの撮影準備が完了すると、情報出力部１０８は、撮影準備が完了したことを制御装置３に通知する。その際、情報出力部１０８は、ステップＳ２７で取得した監視情報に基づいて、放射線撮影装置１の状態に関する状態情報を制御装置３に出力する。制御装置３は、撮影準備完了の通知を受信すると、撮影準備が完了した撮影モードにより、被写体の放射線画像の撮影を可能とする。
【００４９】
図４は、状態情報の一例を示す図である。図４（ａ）の状態情報３００は、状態情報番号及び放射線撮影装置１の状態を含む。例えば、情報出力部１０８は、放射線撮影装置１の温度及び放射線撮影装置１に電源を投入してからの時間に基づいて、放射線撮影装置１の暖機状態、温度変動状態、及び取得モード「１」による撮影可能状態（平衡状態）を含む状態情報３００を出力する。
【００５０】
また、図４（ｂ）の状態情報３１０は、放射線撮影装置１の状態に対応する取得モードを含む。例えば、情報出力部１０８は、放射線撮影装置１の暖機状態及び温度変動状態に対応する取得モード「０」を出力する。また、情報出力部１０８は、取得モード「１」による撮影可能状態（平衡状態）に対応する取得モード「０」及び「１」を出力する。このように、情報出力部１０８は、放射線撮影装置１の状態に応じて（状態情報に基づいて）、取得モードに関する取得モード情報を出力してもよい。
【００５１】
また、ステップＳ２８では、情報出力部１０８は、状態情報３１０に基づく取得モードと制御部１０３により設定された取得モードとが異なる場合、取得モードが異なることを通知する通知情報を出力してもよい。
【００５２】
図５は、放射線撮影装置１の状態の判断を例示する図である。図５に示すように、放射線撮影装置１に電源を投入してからの時間が所定の閾値ｔ１未満である場合、情報出力部１０８は、放射線撮影装置１が暖機状態であると判断する。また、放射線撮影装置１の温度が所定の閾値未満である場合、情報出力部１０８は、放射線撮影装置１が暖機状態であると判断する。
【００５３】
また、放射線撮影装置１の温度の時間変化（温度の時間微分など）が所定の閾値未満である場合、情報出力部１０８は、放射線撮影装置１が平衡状態であると判断する。また、放射線撮影装置１の温度の時間変化（温度の時間微分など）が所定の閾値以上である場合、情報出力部１０８は、放射線撮影装置１が温度変動状態であると判断する。
【００５４】
また、所定の時間における放射線撮影装置１の温度の最大値と最小値の差が所定の閾値未満である場合、情報出力部１０８は、放射線撮影装置１が平衡状態であると判断する。また、所定の時間における放射線撮影装置１の温度の最大値と最小値の差が所定の閾値以上である場合、情報出力部１０８は、放射線撮影装置１が温度変動状態であると判断する。
【００５５】
また、所定の時間における放射線撮影装置１の温度が所定の範囲内である場合、情報出力部１０８は、放射線撮影装置１が平衡状態であると判断する。また、所定の時間における放射線撮影装置１の温度が所定の範囲外である場合、情報出力部１０８は、放射線撮影装置１が温度変動状態であると判断する。
【００５６】
この場合、温度の所定の範囲として、温度の時間変化が所定の閾値未満である状態（平衡状態）における温度の最大値及び最小値が上限及び下限として設定されてもよい。また、温度の所定の範囲として、温度の時間変化が所定の閾値未満である状態における温度の平均値を中心に上限及び下限が設定されてもよい。
【００５７】
このように、情報出力部１０８は、放射線撮影装置１の温度変化に基づいて閾値を設定し、放射線撮影装置１の温度と閾値とを比較することにより、状態情報を出力する。
【００５８】
なお、放射線撮影装置１の温度の測定位置は、放射線撮影装置１の制御基板の表面であってもよいし、放射線撮影装置１の筐体の内部面であってもよい。また、放射線撮影装置１の温度が変化する要因としては、エアコンディショナーのＯＮ／ＯＦＦによる室温変化、窓やドアの開閉による室温変化、及び放射線撮影装置１の省電力モード（スリープモード）による発熱変化などがある。
【００５９】
ステップＳ２９では、制御装置３は、撮影準備完了通知とともに、状態情報（取得モード情報を含む）及び通知情報を受信し、制御装置３の表示部３０２は、通知手段として機能し、撮影準備完了通知、状態情報（取得モード情報を含む）、及び通知情報を表示する。
【００６０】
例えば、図３の撮影モード情報に従って、取得モード「１」が設定されている場合、表示部３０２は、図４（ａ）及び図４（ｂ）に示す「１ｘ」の状態情報を受信したときは、状態情報及び通知情報を表示せずに、撮影準備完了通知を表示する。一方、表示部３０２は、図４（ａ）及び図４（ｂ）に示す「００」及び「０１」の状態情報を受信したとき又は通知情報を受信したときは、警告（通知情報）を表示する。図６は、表示部３０２に表示される警告の一例を示す図である。図６に示すように、放射線撮影装置１の状態に応じて、警告３３０が表示され、取得モードを選択する画面が表示される。
【００６１】
ステップＳ３０では、ユーザにより放射線照射スイッチが押下されることで、放射線発生装置２が、放射線を放射線撮影装置１に照射する。ステップＳ３１では、ユーザにより放射線照射スイッチが押下されることで、制御装置３が、撮影開始のコマンドを放射線撮影装置１に送信し、状態情報（取得モード情報を含む）及び通知情報に従って選択された取得モードを放射線撮影装置１に送信する。
【００６２】
ステップＳ３２では、放射線撮影装置１が、放射線撮影装置１の状態に応じて選択された取得モードに従って、被写体の放射線画像の撮影を開始する。ステップＳ３３では、ユーザにより放射線照射スイッチの押下が終了することで、制御装置３は、撮影終了のコマンドを放射線撮影装置１に送信し、放射線撮影装置１が撮影を停止する。
【００６３】
以上のように、放射線撮影装置の状態に関する状態情報に応じて取得モードが選択されることで、放射線撮影装置の温度変化が激しい場合においても、ユーザが所望する画質やフレームレートなどに応じた撮影を可能とし、ユーザの利便性を向上させることができる。
【００６４】
（第２の実施形態）
図面を参照して、本発明の実施形態の一例を詳しく説明する。なお、上記の実施形態と同様の構成、機能、及び動作についての説明は省略し、主に本実施形態との差異について説明する。
【００６５】
図７は、本実施形態に係る放射線撮影システムの一例を示す図である。図７（ａ）に示すように、放射線撮影システムでは、放射線撮影装置１が画像解析部１０９を更に備える。
【００６６】
画像解析部１０９は、放射線撮影装置１により撮影された画像（被写体の放射線画像、曝射画像、及び無曝射画像など）における残像度を監視情報として監視する。例えば、画像解析部１０９は、制御装置３から放射線撮影装置１に撮影モードが送信されたときに、被写体の放射線画像又はオフセット補正データに残像が残存しているか否かを監視する。残像の解析には、一般に知られている種々の手法が適用される。
【００６７】
例えば、画像解析部１０９は、放射線の照射停止から次の照射開始までの期間において、放射線検出部１０１の放射線検出素子ごとの出力信号の統計値を監視し、その統計量の時間的変化に基づいて残像の残存を判断する。また、画像解析部１０９は、放射線照射時の照射線量及び予め取得された残像減衰特性に基づいて残像の残存を判断する。
【００６８】
本実施形態に係る放射線撮影システムは、図２のステップＳ２７において、情報出力部１０８は、画像解析部１０９から監視情報を取得する。また、情報出力部１０８は、放射線撮影装置１がオフセット補正データを取得してからの時間、放射線撮影装置１が曝射画像を撮影してからの時間、放射線撮影装置１が無曝射画像を撮影してからの時間を監視情報として監視部１０６から取得する。
【００６９】
ステップＳ２８では、情報出力部１０８は、ステップＳ２７で取得した監視情報に基づいて、放射線撮影装置１の状態に関する状態情報を制御装置３に出力する。図８は、状態情報の一例を示す図である。図８の状態情報３５０は、状態情報番号及び放射線撮影装置１の状態を含む。
【００７０】
例えば、情報出力部１０８は、放射線撮影装置１がオフセット補正データ（無曝射画像データ）を取得してからの時間に基づいて、オフセット補正データの信頼時間経過状態を含む状態情報３５０を出力する（ステップＳ２８）。
【００７１】
オフセット補正データ（無曝射画像データ）が取得されてから所定の時間（信頼時間）が経過すると、放射線撮影装置１の温度変化などにより、オフセット補正データの信頼性が低下する。したがって、情報出力部１０８は、放射線撮影装置１がオフセット補正データ（無曝射画像データ）を取得してからの時間が所定の閾値以上である場合、オフセット補正データの信頼時間経過状態を含む状態情報３５０を出力する。
【００７２】
この場合、情報出力部１０８は、オフセット補正データの信頼時間経過状態に対応する取得モード「０」を取得モード情報として出力してもよい。そして、制御部１０３により設定された取得モードが「１」である場合、情報出力部１０８は通知情報を出力し、図６に示すように、警告３３０が表示され、取得モードを選択する画面が表示されてもよい（ステップＳ２９）。
【００７３】
また、情報出力部１０８は、放射線撮影装置１が曝射画像を撮影してからの時間又は放射線撮影装置１により撮影された画像における残像度に基づいて、残像残存状態を含む状態情報３５０を出力する（ステップＳ２８）。
【００７４】
曝射画像が撮影されてから所定の時間以内であると、放射線撮影装置１により撮影された画像に残像が残存する。したがって、情報出力部１０８は、放射線撮影装置１が曝射画像を撮影してからの時間が所定の閾値未満である場合、残像残存状態を含む状態情報３５０を出力する。また、情報出力部１０８は、画像解析部１０９から監視情報に基づいて、残像残存状態を含む状態情報３５０を出力する。
【００７５】
この場合、情報出力部１０８は、残像残存状態に対応する取得モード「０」を取得モード情報として出力してもよい。そして、制御部１０３により設定された取得モードが「１」である場合、情報出力部１０８は通知情報を出力し、図６に示すように、警告３３０が表示され、取得モードを選択する画面が表示されてもよい（ステップＳ２９）。
【００７６】
以上のように、放射線撮影装置の状態に関する状態情報に応じて取得モードが選択されることで、画像に残像が残存する場合においても、ユーザが所望する画質やフレームレートなどに応じた撮影を可能とし、ユーザの利便性を向上させることができる。
【００７７】
本発明にかかる実施形態について説明したが、本発明はこれらに限定されるものではなく、請求項に記載された範囲内において変更・変形することが可能である。
【００７８】
本発明は、上記の実施形態の機能を実現するソフトウェア（プログラム）を、ネットワーク又は各種記憶媒体を介してシステム又は装置に供給し、システム又は装置のコンピュータ（ＣＰＵやＭＰＵなど）がプログラムを読み出すことにより実行されてもよい。
【符号の説明】
【００７９】
１  放射線撮影装置
２  放射線発生装置
３  制御装置
１０１  放射線検出部
１０２  画像処理部
１０３  制御部
１０４  記憶部
１０５，３０３  通信部
１０６  監視部
１０７  補正データ取得部
１０８  情報出力部
１０９  画像解析部
３０１  入力部
３０２  表示部
【図１】
0006609123.tif 000002
【図２】
0006609123.tif 000003
【図３】
0006609123.tif 000004
【図４】
0006609123.tif 000005
【図５】
0006609123.tif 000006
【図６】
0006609123.tif 000007
【図７】
0006609123.tif 000008
【図８】
0006609123.tif 000009